(57)【要約】【課題】枕の形状や大きさに拘わらずカバー生地の着脱ができ、その着脱も容易にする。また低コスト化を追求することができるようにする。【解決手段】長方形の生地として形成されたカバー生地２の二組の短辺部２ａを各別に掴む一対の短辺掴み部材７と、これら両短辺掴み部材７を互いに背合わせの向きにして連結する連結部材８と、この連結部材８に設けられてその長さを調節自在にする長さ調節手段１０とを有した枕カバー留め３を用いる。【選択図】図１
0003104705.tif 000002
【実用新案登録請求の範囲】
【請求項１】
長方形の生地として形成されたカバー生地（２）の二組の短辺部（２ａ）を各別に掴む一対の短辺掴み部材（７）と、これら両短辺掴み部材（７）を互いに背合わせの向きにして連結する連結部材（８）とを有していることを特徴とする枕カバー留め。
【請求項２】
前記連結部材（８）には、短辺掴み部材（７）の相互間隔を調節自在にする長さ調節手段（１０）が設けられていることを特徴とする請求項１記載の枕カバー留め。
【請求項３】
前記短辺掴み部材（７）は、２個のクリップ（１２）と、これら両クリップ（１２）をカバー生地（２）の短辺部（２ａ）に対してその両端部寄りに対応させて保持させる間隔保持材（１３）とを有していることを特徴とする請求項１又は請求項２記載の枕カバー留め。
【請求項４】
前記連結部材（８）はその長手方向で伸縮自在な材料で形成されていることを特徴とする請求項１乃至請求項３のいずれかに記載の枕カバー留め。
【請求項５】
タオルにより形成されたカバー生地（２）と、このカバー生地（２）をその長手方向で枕（５）へ巻き付けた状態でカバー生地（２）の両側の短辺部（２ａ）を綴じ合わせる枕カバー留めとを有し、この枕カバー留めが請求項１乃至請求項４のいずれかに記載の枕カバー留め（３）であることを特徴とする枕カバー。
【考案の詳細な説明】
【技術分野】
【０００１】
本考案は、枕カバー留めと、この枕カバー留めを用いた枕カバーとに関するものである。
【背景技術】
【０００２】
枕を使用する場合は、主に汚れ防止のために枕カバーを装着するのが一般的であるが、この枕カバーには、概略すると両端が開放された筒袋タイプ（特許文献１等参照）、文字通り袋形状とされた袋タイプ（特許文献２等参照）、長方形の布の対向二辺部にそれぞれ２本ずつ合計４本の結着用紐がついたエプロンタイプ（特許文献３等参照）、といった３タイプのものがあり、これらは周知である。
【特許文献１】特開平１０−６６６３９号公報
【特許文献２】特開平８−２４９９３号公報
【特許文献３】特開２００３−１４４２８７号公報
【考案の開示】
【考案が解決しようとする課題】
【０００３】
筒袋タイプや袋タイプの枕カバーでは、それら特有の形状に仕立てるために手の込んだ裁縫が必要である。なお、ボタンやホック、マジックテープ等を用いることで枕への装着状態として筒袋形状や袋形状にするような枕カバーもあったが、これらも、ボタンやホック、マジックテープ等を取り付けておくための裁縫が必要である点では同じであった。また、エプロンタイプの枕カバーも、結着用紐を取り付けておくための裁縫が必要である。結果として、従来、枕カバーと言えばそれ専用のものを裁縫によって製作したものを指すことになる。
【０００４】
ところが、枕には殊に最近になり、種々様々なものが商品化され、それにつれて外形や大きさも種々様々に変化してきている。そのため枕カバーとしては、これら種々様々な枕に合わせた大きさのものが個別に必要になるということがあった。
一方、病院などで用いる枕は、一般的な枕よりも一回り大きなものが用いられるという事情もさることながら、清潔な環境が望まれる関係上、頻繁に洗濯することが要求される。そのため、枕に対する枕カバーの着脱は毎日のように必要とされる。ところが、筒袋タイプや袋タイプ及びエプロンタイプの枕カバーでは、枕に対する着脱が面倒であるということがあった。
【０００５】
しかも枕カバーは、このように頻繁に洗濯をすることで傷みやすいということもあって、裁縫を伴うことと相まってコスト高に繋がるという欠点があった。
本考案は、上記事情に鑑みてなされたものであって、枕の形状や大きさに拘わらず枕カバー（カバー生地）としての着脱ができ、その着脱も容易であり、また装着状態が簡単に外れてしまうようなことがない枕カバー留めを提供することを目的とする。
また本考案は、低コスト化を追求することのできる枕カバーを提供することを目的とする。
【課題を解決するための手段】
【０００６】
前記目的を達成するために、本考案は次の手段を講じた。
即ち、本考案に係る枕カバー留めは、長方形状の生地として形成されたカバー生地の二組の短辺部を各別に掴む一対の短辺掴み部材と、これら両短辺掴み部材を互いに背合わせの向きにして連結する連結部材とを有している。この連結部材には、短辺掴み部材の相互間隔を調節自在にする長さ調節手段を設けておいてもよい。
ここにおいて、カバー生地として使用する「長方形状の生地」は、ボタンやホック、マジックテープ、或いは結着用紐等、一切の附属物を有しない単純形状のものでよい。従って例えば、それはタオルなどをそのまま活用することができる。
【０００７】
すなわち、このような構成の枕カバー留めでは、枕に対し、そのまわりへ単純形状であるカバー生地をその長手方向で巻き付け、枕の裏面部分でこのカバー生地の両側の短辺部が向き合うようにしたときに、これら各短辺部へ短辺掴み部材を掴ませるようにする。必要に応じてて、これら両側の短辺掴み部材の相互間（連結部材の長さ）が丁度よい距離となるように長さ調節手段によって長さを調節する。
このようにすることで、このカバー生地を枕から外れない状態に保持させることができる。上記したようにカバー生地にはタオルなどをそのまま活用できるので、それ自体に手間・暇のかかる裁縫は必要とされない。もとより、実際にタオルを使用するのであれば、これが日常的に身の回りで普通に汎用されている物であることから、カバー生地にするための手間は一切かからず、またコスト的にも抑えたものとすることができる。
【０００８】
また、病院をはじめ、種々様々な場所で使用される枕がいろんな外形や大きさであるとしても、タオルならば略共通の大きさである点で、それだけカバー生地としての使用汎用性が高い（即ち、各種枕に対して装着可能である）という利点もある。
殊に、カバー生地に対するこの枕カバー留めの着脱が簡単且つ自由にできることから、カバー生地の洗濯や交換も簡単にできる。そのため枕及び枕カバーとして清潔な使用を続けることができる。
短辺掴み部材は、２個のクリップと、これら両クリップをカバー生地の短辺部に対してその両端部寄りに対応させて保持させる間隔保持材とを有したものとすればよい。
【０００９】
また連結部材は、その長手方向で伸縮自在な材料で形成することができる。
一方、本考案に係る枕カバーは、タオルにより形成されたカバー生地と、このカバー生地をその長手方向で枕へ巻き付けた状態でカバー生地の両側の短辺部を綴じ合わせる枕カバー留めとを有したもので、この枕カバー留めとして、本考案に係る枕カバー留めを用いるものである。
従って上記した本考案に係る枕カバー留めの作用効果を得ることができる。また、カバー生地としてタオルを用いることから、一般に販売されているバリエーション豊富な商品の中からお気に入りの生地質や配色、柄のものを選択できるようになり、枕カバーとして飽きないという利点が得られる。
【考案の効果】
【００１０】
本考案に係る枕カバー留め及び枕カバーでは、枕の形状や大きさに拘わらず枕カバー（カバー生地）としての着脱ができ、その着脱も容易である。また枕に対する枕カバーとしての装着状態が簡単に外れてしまうということもない。そのうえ、カバー生地自体が低廉であり、ランニングコストとしての低コスト化を追求することができる。
【考案を実施するための最良の形態】
【００１１】
以下、本考案の実施の形態を、図面に基づき説明する。
図１乃至図４は、本考案に係る枕カバー１の一実施形態を示している。この枕カバー１は、カバー生地２と枕カバー留め３とを有している。
カバー生地２は長方形状の単純形状をした生地である。このカバー生地２には、ボタンやホック、マジックテープ、或いは結着用紐等、枕５に対する装着状態を保持させるための附属物は一切、設けられていない。本実施形態ではタオルをそのまま活用してある。
枕カバー留め３は、一対（二つ）の短辺掴み部材７と、これら両短辺掴み部材７の相互間で両者を連結する連結部材８とを有している。また連結部材８には、その長さを調節自在にする長さ調節手段１０が設けられている。
【００１２】
短辺掴み部材７は２個のクリップ１２と間隔保持材１３とを有している。本実施形態（図２等参照）で示したクリップ１２は、例えば樹脂やゴムなどの弾性材によってＵ字形に形成されたクリップ本体１４に対し、Ｕ字形の口を狭める方向へバネ付勢力を付与する板バネ１５が外嵌めされたものとしてある。そのためこのクリップ１２では、Ｕ字形の口の部分を板バネ１５のバネ力に抗しつつ開かせ、ここへカバー生地２における短辺部２ａを差し込むようにすることで、この口の部分でカバー生地２を掴み且つこの状態を弾性的に保持できるようになっている。
【００１３】
なお、クリップ本体１４にはＵ字形の口の内側部分に滑止め用のギザギザ１６が設けられている。またＵ字形の外周面には板バネ１５の外れ及び位置ズレを防止するために、板バネ１５に対応した嵌合用凹部１４ａが形成されている。
間隔保持材１３は樹脂板や金属などによって形成された細帯状のものであって、２個のクリップ１２を所定間隔に離して相互隣接させ、且つそれらのＵ字形の口部が同じ向きになるようにしつつ保持させている。クリップ１２の相互間隔は、各クリップ１２がカバー生地２における短辺部２ａの両端部寄りに対応するような寸法としてある。
【００１４】
なお、この間隔保持材１３の素材とする樹脂板や金属などは、ある程度の可撓性や弾性を有するものとしてもよい。
連結部材８はベルトにより形成されている。上記したようにこの連結部材８は、その両端部で短辺掴み部材７（間隔保持材１３によってクリップ１２が保持されたもの）を連結させているが、これら各短辺掴み部材７は、それぞれ、クリップ１２におけるＵ字形の口部分が外向き（反対向き）になるように、互いに背合わせとされている。
本実施形態では連結部材８の中間部に長さ調節手段１０が設けられているものとしているので、この連結部材８を形成するベルトは、その一端部が各短辺掴み部材７に連結され、同他端部がバックル２０に対してジグザグに差し通され、バックル２０内での互いの摩擦によって摺れ止め作用が得られるようにしてある。
【００１５】
このバックル２０に対してベルトを緩ませながらその差し通し量を調節することができるので、これによって上記した長さ調節手段１０が構成されているものである。
なお、この連結部材８を形成させているベルトは、布製とする他、樹脂やゴムなど、その長手方向で伸縮自在な材料で形成することもできる。
このような構成の枕カバー留め３では、枕５に対し、そのまわりへ単純形状であるカバー生地２をその長手方向で巻き付け、枕５の裏面部分でこのカバー生地２の両側の短辺部２ａが向き合うようにしたときに、これら各短辺部２ａへ短辺掴み部材７（クリップ１２）を掴ませるようにする。そして、必要に応じてこれら両側の短辺掴み部材７の相互間（連結部材８の長さ）が丁度よい距離となるように長さ調節手段１０によって長さを調節する。
【００１６】
このようにすることで、このカバー生地２を枕５から外れない状態に保持させることができる。カバー生地２に対するこの枕カバー留め３の着脱は上記のように簡単且つ自由にできる。そのため、カバー生地２の洗濯や交換も簡単にできる。
ところで、本考案は、上記実施形態に限定されるものではなく、実施の形態に応じて適宜変更可能である。
例えば、前記実施形態では枕５の長辺とカバー生地２の長辺が平行になるようにカバー生地２を巻き付けていたが、図５に示すように長辺同士が垂直になるように巻き付けても良い。
【００１７】
また、短辺掴み部材７においてクリップ１２を設ける数は３個以上としてもよいし、１個だけとしてもよい。またクリップ１２には、洗濯ばさみなどで採用されているようなバネ式のものや、一般に携帯電話の脱落防止用コイル紐の先端部などとして使われる梃子可動式のものなどに置換することもできる。
間隔保持材１３には、クリップ１２の配置間隔を調節できるような構造を組み込むこともできる。またこの間隔保持材１３を針金などの棒材によって形成することも可能である。
【００１８】
長さ調節手段１０についても、従来公知の各種のものに置換することができる。
カバー生地２は、タオルを使用することが限定されるものではない。
【図面の簡単な説明】
【００１９】
【図１】図２で示した枕カバー留めを拡大して示した斜視図である。
【図２】本考案に係る枕カバーの一実施形態を示した斜視図である。
【図３】図２の枕カバーの使用状況を示した斜視図である。
【図４】図３に対応する側面図である。
【図５】枕とカバー生地の長辺が垂直になるように巻き付けた使用状況を示す斜視図である
【符号の説明】
【００２０】
１  枕カバー
２  カバー生地
２ａ  短辺部
３  枕カバー留め
７  短辺掴み部材
８  連結部材
１０  長さ調節手段
１２  クリップ
１３  間隔保持材
【図１】
0003104705.tif 000003
【図２】
0003104705.tif 000004
【図３】
0003104705.tif 000005
【図４】
0003104705.tif 000006
【図５】
0003104705.tif 000007